(57)【要約】【課題】面光源として使用可能な投写表示装置において、より均一な面光源を得る。【解決手段】投写表示装置１００は、ランプ１０５と、照明光学系１０４と、表示パネル１０３と、投写レンズ１０２と、スクリーン１０１と、平行平板１０９と、制御装置１１０と、フィルム保持機構１０７とから構成されている。平行平板１０９は、表示パネル１０３および投写レンズ１０２の間の光路上に挿脱可能に配置されている。表示パネル１０３は、電子画像が表示され、照明光学系１０４により集光された光束が電子画像が表示された領域を透過する。この投写表示装置１００では、電子画像が全域で特定の階調のみを表示する画像である場合は、平行平板１０９は光路上に挿入され、電子画像が全域で複数の階調を表示可能な画像である場合は、平行平板１０９は光路上から退避する。【選択図】図１
2009042624.tif 000002
【特許請求の範囲】
【請求項１】
光源と、
前記光源から出射した光束を集光する照明光学系と、
電子画像が表示され、前記照明光学系により集光された光束が前記電子画像が表示された領域を透過または前記領域で反射する表示パネルと、
前記表示パネルから出射した光束を取り込む投写レンズと、
前記投写レンズからの投写光を受けるスクリーンと、
前記光源およびスクリーンの間の光路上に挿脱可能に配置された光透過性部材と、を備え、
前記電子画像が全域で特定の階調のみを表示する画像である場合は、前記光透過性部材が前記光路上に挿入され、
前記電子画像が全域で複数の階調を表示可能な画像である場合は、前記光透過性部材が前記光路上から退避する、
投写表示装置。
【請求項２】
前記光源および表示パネルの動作を制御する制御装置をさらに備え、
前記制御装置は、前記表示パネルを駆動する表示パネル駆動部と、前記光透過性部材を駆動する光透過性部材駆動部と、前記表示パネル駆動部および光透過性部材駆動部を介して前記表示パネルおよび光透過性部材駆動部の動作を制御する駆動制御部とを有し、
前記駆動制御部は、
前記表示パネル駆動部へ全域で特定の階調のみを表示する前記電子画像の信号を出力した場合には、前記光透過性部材駆動部へ前記光透過性部材を前記光路上に挿入する信号を出力し、
前記表示パネル駆動部へ全域で複数の階調を表示可能な前記電子画像の信号を出力した場合には、前記光透過性部材駆動部へ前記光透過性部材を前記光路上から退避させる信号を出力する、
請求項１に記載の投写表示装置。
【請求項３】
前記スクリーンの外周部に配置されたフィルム保持具と、
前記フィルム保持具にフィルムが挿入されたことを検知するフィルムセンサとをさらに備え、
前記駆動制御部は、前記フィルムセンサからの信号で前記表示パネル駆動部へ出力する前記電子画像の信号を切り替える、
請求項２に記載の投写表示装置。
【請求項４】
光源と、前記光源から出射した光束を集光する照明光学系と、電子画像が表示され前記照明光学系により集光された光束が前記電子画像が表示された領域を透過または前記領域で反射する表示パネルと、前記表示パネルから出射した光束を取り込む投写レンズと、前記投写レンズからの投写光を受けるスクリーンと、前記光源およびスクリーンの間の光路上に挿脱可能に配置された光透過性部材とを備えた投写表示装置の制御装置であって、
前記光源を駆動する光源駆動部と、
前記表示パネルを駆動する表示パネル駆動部と、
前記光源駆動部および表示パネル駆動部を介して前記光源および表示パネルの動作を制御する駆動制御部とを備え、
前記駆動制御部は、
前記表示パネル駆動部へ全域で特定の階調のみを表示する前記電子画像の信号を出力した場合には、前記光透過性部材駆動部へ前記光透過性部材を前記光路上に挿入する信号を出力し、
前記表示パネル駆動部へ全域で複数の階調を表示可能な前記電子画像の信号を出力した場合には、前記光透過性部材駆動部へ前記光透過性部材を前記光路上から退避させる信号を出力する、
投写表示装置の制御装置。
【請求項５】
光源と、前記光源から出射した光束を取り込む照明光学系と、電子画像が表示され、前記照明光学系からの照明光束が前記電子画像が表示された領域を透過または前記領域で反射する表示パネルと、前記表示パネルから出射した光束を取り込む投写レンズと、前記投写レンズからの投写光を受けるスクリーンと、前記光源およびスクリーンの間の光路上に挿脱可能に配置された光透過性部材と、前記光源および表示パネルの動作を制御する制御装置とを備えた投写表示装置の制御方法であって、
前記表示パネルに全域で特定の階調のみを表示する前記電子画像を表示する場合、前記光透過性部材を前記光路上に挿入し、
前記表示パネルに全域で複数の階調を表示可能な前記電子画像を表示する場合、前記光透過性部材を前記光路上から退避させる、
投写表示装置の制御方法。
【発明の詳細な説明】
【技術分野】
【０００１】
本発明は、投写型表示装置に関する。
【背景技術】
【０００２】
従来の医療現場では、患者の各種診断を行うために、レントゲン写真が利用されている。レントゲン写真は、Ｘ線の透過光を撮影した透過写真であり、大判のレントゲンフィルムに焼き付けられている。レントゲン写真を読影する際、シャーカステンと呼ばれる面光源の前にレントゲンフィルムが配置される。医師は、レントゲンフィルムを透過する面光源からの光を観察し、レントゲン写真の読影を行う。
しかし、レントゲン写真の媒体としてレントゲンフィルムを使用すると、保管や整理に手間がかかり、またフィルムに焼き付けるためコストが高くなる。
そこで近年、レントゲン写真の画像を電子データ化し、レントゲン写真を電子画像として観察できる電子ディスプレイが提案されている（例えば、特許文献１を参照）。
【特許文献１】特開平７−２９９０５６号公報
【発明の開示】
【発明が解決しようとする課題】
【０００３】
この種の電子ディスプレイとしては、例えばＣＲＴディスプレイやリア型プロジェクタなどが採用されている。リア型プロジェクタの場合、レントゲンフィルムを読影するときには、リア型プロジェクタに白色の電子画像を投写し、スクリーンを白色の面光源として使用する。医師はスクリーンの前面にレントゲンフィルムを配置し、レントゲンフィルムを透過する光を観察し、レントゲンフィルムの読影を行う。
しかし、リア型プロジェクタでは例えば液晶パネルなどのマトリックス構造を持った表示パネルが用いられており、液晶パネルには明るさや色を引き立たせるためのブラックマトリックスと呼ばれる黒い格子状の部分が存在する。そのため、例えば表示パネルに白色の電子画像を表示した場合、実際にはスクリーンに写し出される投写像には白色以外に黒色の格子状の線が写し出され、均一な白色の面光源を得ることができない。この結果、リア型プロジェクタを面光源として使用すると、例えば医師がレントゲンフィルムの微妙な陰影に気付かない場合や、逆にレントゲンフィルムに陰影が写し出されていると誤認する場合があり、医師の的確な診断を妨げるおそれがある。この黒色の線は、リア型プロジェクタの表示パネルに限らず、例えばＣＲＴを用いたブラウン管式モニタにおいても走査線の隙間やシャドーマスクにより画面に写し出される。そのため、リア型プロジェクタに代えてＣＲＴディスプレイなどの電子ディスプレイを用いても、色彩が均一な面光源を得ることは困難である。
【０００４】
本発明の課題は、面光源として使用可能な投写表示装置において、色彩がより均一化された面光源を実現することにある。
【課題を解決するための手段】
【０００５】
第１の発明に係る投写表示装置は、光源と、光源から出射した光束を集光する照明光学系と、電子画像が表示され照明光学系により集光された光束が電子画像が表示された領域を透過またはその領域で反射する表示パネルと、表示パネルから出射した光束を取り込む投写レンズと、投写レンズからの投写光を受けるスクリーンと、光源およびスクリーンの間の光路上に挿脱可能に配置された光透過性部材とを備えている。この投写表示装置では、電子画像が全域で特定の階調のみを表示する画像である場合は、光透過性部材が光路上に挿入され、電子画像が全域で複数の階調を表示可能な画像である場合は、光透過性部材が光路上から退避する。
この表示投写装置では、表示パネルを透過した光束が投写レンズによりスクリーンに投写される。そして、表示パネルに全域で複数の階調を表示可能な電子画像が表示される場合、光透過性部材は光路上から退避する。そのため、この場合はフォーカスの合った電子画像の投写像がスクリーンに写し出される。
【０００６】
また、表示パネルに全域で特定の階調のみを表示する電子画像が表示された場合、光路上に光透過性部材が挿入される。そのため、光透過性部材の表面や内部で光束が屈折し、電子画像の投写像のフォーカスがずれる。この結果、例えば白色からなる電子画像を表示パネルに表示して面光源を得る場合に、白色がぼやけて表示パネルのブラックマトリックスにより生じる黒色の線がスクリーンに写し出されにくくなる。これにより、この投写表示装置では従来よりも面光源の色彩の均一化を図ることができる。
ここで、光透過性部材は光を透過する部材であればよく、光透過性部材としては、例えば互いの平行に配置された２枚の薄いガラス板などが挙げられる。
第２の発明に係る投写表示装置は、第１の発明において、光源および表示パネルの動作を制御する制御装置をさらに備えている。制御装置は、表示パネルを駆動する表示パネル駆動部と、光透過性部材を駆動する光透過性部材駆動部と、表示パネル駆動部および光透過性部材駆動部を介して表示パネルおよび光透過性部材駆動部の動作を制御する駆動制御部とを有している。駆動制御部は、表示パネル駆動部へ全域で特定の階調のみを表示する電子画像の信号を出力した場合には、光透過性部材駆動部へ光透過性部材を光路上に挿入する信号を出力し、表示パネル駆動部へ全域で複数の階調を表示可能な電子画像の信号を出力した場合には、光透過性部材駆動部へ光透過性部材が退避させる信号を出力する。
【０００７】
ここで、光透過性部材駆動部は光透過性部材を駆動させる機構およびその機構を動作させる回路などを含む。
第３の発明に係る投写表示装置は、第２の発明において、スクリーンの外周部に配置されたフィルム保持具と、フィルム保持具にフィルムが挿入されたことを検知するフィルムセンサとをさらに備えている。駆動制御部は、フィルムセンサからの信号で表示パネル駆動部へ出力する電子画像の信号を切り替える。
第４の発明に係る制御装置は、光源と、光源から出射した光束を集光する照明光学系と、電子画像が表示され照明光学系により集光された光束が電子画像が表示された領域を透過または領域で反射する表示パネルと、表示パネルから出射した光束を取り込む投写レンズと、投写レンズからの投写光を受けるスクリーンと、光源およびスクリーンの間の光路上に挿脱可能に配置された光透過性部材とを備えた投写表示装置の制御装置である。この制御装置は、光源を駆動する光源駆動部と、表示パネルを駆動する表示パネル駆動部と、光源駆動部および表示パネル駆動部を介して光源および表示パネルの動作を制御する駆動制御部とを備えている。駆動制御部は、表示パネル駆動部へ全域で特定の階調のみを表示する電子画像の信号を出力した場合には、光透過性部材駆動部へ光透過性部材を光路上に挿入する信号を出力し、表示パネル駆動部へ全域で複数の階調を表示可能な電子画像の信号を出力した場合には、光透過性部材駆動部へ光透過性部材を光路上から退避させる信号を出力する。
【０００８】
この制御装置により、投写表示装置を面光源として使用する場合に、従来よりも面光源の色彩の均一化を図ることができる。
第５の発明に係る制御方法は、光源と、光源から出射した光束を取り込む照明光学系と、電子画像が表示され、照明光学系からの照明光束が電子画像が表示された領域を透過または領域で反射する表示パネルと、表示パネルから出射した光束を取り込む投写レンズと、投写レンズからの投写光を受けるスクリーンと、光源およびスクリーンの間の光路上に挿脱可能に配置された光透過性部材と、光源および表示パネルの動作を制御する制御装置とを備えた投写表示装置の制御方法である。この制御方法では、表示パネルに全域で特定の階調のみを表示する電子画像を表示する場合、光透過性部材を光路上に挿入し、表示パネル駆動部へ全域で複数の階調を表示可能な電子画像の信号を出力した場合には、光透過性部材を光路上から退避する。
【０００９】
この制御方法により、投写表示装置を面光源として使用する場合に、従来よりも面光源の色彩の均一化を図ることができる。
【発明の効果】
【００１０】
本発明に係る投写表示装置では、光路上に挿脱可能な光透過性部材を配置することで、より均一な面光源を得ることができる。
本発明に係る制御装置および制御方法では、光路上に挿脱可能に配置された光透過性部材の動作を制御することで、投写表示装置を面光源として使用する場合に、より均一な面光源を得ることができる。
【発明を実施するための最良の形態】
【００１１】
本発明の実施形態について図面を参照しながら説明する。
＜１＞第１実施形態
（１）投写表示装置の全体構成
図１に本発明の第１実施形態に係る投写表示装置１００の全体構成図を示す。
図１に示すように、この投写表示装置１００は、レントゲンフィルムの面光源としての機能とレントゲン画像のディスプレイとしての機能とを備えており、主に、光源としてのランプ１０５と、照明光学系１０４と、表示パネル１０３と、投写レンズ１０２と、スクリーン１０１と、光透過性部材としての平行平板１０９と、制御装置１１０と、フィルム保持機構１０７とから構成されている。本実施形態に係る投写表示装置１００はリア型プロジェクタである。
【００１２】
ランプ１０５は、投写表示装置１００の光源であり、照明光学系１０４へ光束を出射する。ランプ１０５としては、例えば超高圧水銀ランプなどが挙げられる。ランプ１０５は、後述するランプ駆動部１１１により点灯、消灯が可能となっている。
照明光学系１０４は、例えば複数のレンズから構成されており、ランプ１０５から出射した光束を集光する。照明光学系１０４から出射する光束は、点灯するランプの数量に関係なく、表示パネル１０３の電子画像が表示される領域内を均一に透過するように集光される。
表示パネル１０３は、複数の電子画像を表示するためのもので、例えば透過型液晶パネルから構成されている。表示パネル１０３の電子画像が表示された領域を照明光学系１０４により集光された光束が透過する。表示パネル１０３は、１枚のパネルから構成されており、後述する制御装置１１０により複数の電子画像を表示することができる。１つの電子画像は、例えば１枚のレントゲン写真と対応している。表示パネル１０３は、例えば２枚の縦長のレントゲン画像が水平方向に並んで表示可能なように、水平方向に長い長方形を有している。
【００１３】
平行平板１０９は、電子画像の投写像のフォーカスを意図的にずらすためのもので、表示パネル１０３および投写レンズ１０２の間の光路上に挿脱可能に配置されている。平行平板１０９は、光路に対して垂直に配置されており、例えば光路に垂直な方向に移動可能に配置されている。平行平板１０９は例えば互いに平行に配置された２枚の薄いガラス板などから構成されている。
平行平板１０９は光透過性部材駆動部の一部としての平行平板駆動機構１３０により駆動される。具体的には、平行平板駆動機構１３０は、平行平板１０９を挿脱可能に支持するとともに、平行平板１０９の挿脱のための駆動力を発生させる。平行平板駆動機構１３０は、例えば平行平板１０９が移動可能に嵌め込まれた枠体および枠体に連結されたモータなどから構成されている。平行平板駆動機構１３０は、後述する平行平板駆動部１１９に電気的に接続されている。平行平板駆動機構１３０の動作は、平行平板駆動部１１９を介して駆動制御部１１４により制御される。後述の平行平板駆動部１１９および駆動制御部１１４により、平行平板１０９は、光路上に挿入されたり、あるいは光路上から退避する。
【００１４】
投写レンズ１０２は、例えば複数のレンズから構成されており、表示パネル１０３または平行平板１０９を透過した光束を取り込み、電子画像をスクリーン１０１へ投写する。
スクリーン１０１には、投写レンズ１０２から投写光を投写される。本実施形態においては、スクリーン１０１は透過型スクリーンであり、例えば水平方向に長い長方形を有している。
制御装置１１０は、ランプ１０５、表示パネル１０３および平行平板１０９の動作を制御するための装置であり、主に、光源駆動部としてのランプ駆動部１１１と、表示パネル駆動部１１３と、光透過性部材駆動部の一部としての平行平板駆動部１１９と、駆動制御部１１４とから構成されている。
ランプ駆動部１１１は、ランプ１０５を点灯、消灯させるための回路であり、ランプ１０５および駆動制御部１１４に接続されている。
【００１５】
表示パネル駆動部１１３は、表示パネル１０３に電子画像を表示するための回路であり、表示パネル１０３および駆動制御部１１４に接続されている。表示パネル駆動部１１３により、表示パネル１０３は複数の電子画像を表示することができる。
平行平板駆動部１１９は、平行平板１０９を駆動するための回路であり、平行平板駆動機構１３０および駆動制御部１１４に接続されている。
駆動制御部１１４は、ランプ駆動部１１１、表示パネル駆動部１１３および平行平板駆動部１１９を介してランプ１０５、表示パネル１０３および平行平板１０９の動作を制御する。駆動制御部１１４は、信号切替部１１５と、画像信号入力部１１６と、信号発生部１１７とから構成されている。信号切替部１１５は、ランプ駆動部１１１、表示パネル駆動部１１３および平行平板駆動部１１９に出力する信号を切り替えるための回路であり、各駆動部１１１、１１３、１１９に接続されている。画像信号入力部１１６は、レントゲン画像を出力するための回路であり、信号切替部１１５に接続されている。画像信号入力部１１６には投写表示装置１００の外部からレントゲン画像の電子データが入力可能となっている。信号発生部１１７は、特定の階調のみ（例えば白色のみ）を表示する電子画像の信号を信号切替部１１５に出力するための回路であり、信号切替部１１５に接続されている。
【００１６】
フィルム保持機構１０７は、レントゲンフィルム１０８をスクリーン１０１上に保持するための機構であり、フィルム保持具としてのクリップ１０７ａと、フィルムセンサ１０７ｂとから構成されている。クリップ１０７ａは、スクリーン１０１の外周部に取り付けられており、レントゲンフィルム１０８をスクリーン１０１との間で狭持可能となっている。フィルムセンサ１０７ｂは、クリップ１０７ａに取り付けられており、クリップ１０７ａにレントゲンフィルム１０８が挿入されたことを検知する。フィルムセンサ１０７ｂは、信号切替部１１５に接続されており、レントゲンフィルム１０８が挿入された場合に信号切替部１１５へ信号を出力する。なお、本実施形態に係る投写表示装置１００は、リア型プロジェクタであるため、レントゲンフィルム１０８は、スクリーン１０１の投写レンズ１０２と反対側（図１ではスクリーン１０１の左側）に配置される。
【００１７】
以上の構成により、この投写表示装置１００では、表示パネル１０３に表示された電子画像をスクリーン１０１上に投写することができる。
（２）投写表示装置の動作
図２を用いて、投写表示装置１００の動作について説明する。図２に、本発明に係る投写表示装置１００の動作フロー図を示す。
まず、投写表示装置１００をレントゲン画像を表示するディスプレイとして使用する場合、すなわち表示パネル１０３に全域で複数の階調を表示可能な電子画像が表示される場合について説明する。図２に示すように、この場合はレントゲンフィルム１０８がクリップ１１７ａに保持されないため、フィルムセンサ１１７ｂから信号切替部１１５へ信号が出力されない（Ｓ１）。そのため、画像信号入力部１１６に入力されたレントゲン画像の電子データが信号切替部１１５に出力される（Ｓ２）。レントゲン画像はモノクロの画像であり、白色、灰色、黒色などの複数の階調を表示可能である。信号切替部１１５は信号発生部１１７から出力された特定の階調のみ（例えば白色のみ）を表示する電子画像の電子データが表示パネル駆動部１１３に出力され（Ｓ３）、表示パネル１０３にレントゲン画像が表示される（Ｓ４）。
【００１８】
このとき、信号切替部１１５は平行平板駆動部１１９へ平行平板１０９を退避させる信号を出力し（Ｓ５）、平行平板駆動機構１３０が平行平板１０９を光路上から退避する（Ｓ６）。これにより、表示パネル１０３を透過した光束は平行平板１０９を透過することなく投写レンズ１０９に入射し、スクリーン１０１にはフォーカスがずれていない電子画像が投写される。この場合、レントゲン画像をスクリーン１０１で読影することができる。
次に、投写表示装置１００をレントゲンフィルム用の面光源として使用する場合、すなわち表示パネル１０３に全域で特定の階調のみ（例えば白色のみ）を表示する電子画像が表示される場合について説明する。医師がレントゲンフィルム１０８をクリップ１０７ａに挿入すると、フィルム１０８がクリップ１０７ａによりスクリーン１０１の前面（図１の左側）に保持される。この結果、フィルムセンサ１０７ｂがフィルム１０８を検知し、信号切替部１１５へ信号を出力する（Ｓ１）。フィルムセンサ１０７ｂからの信号により、信号切替部１１５は信号発生部１１７から出力される白色の電子画像の信号を表示パネル駆動部１１３へ出力し（Ｓ７）、表示パネル１０３には全域で特定の階調のみ（例えば白色のみ）を表示する電子画像が表示される（Ｓ８）。
【００１９】
また、信号切替部１１５は平行平板駆動部１１９へ平行平板１０９を光路上へ挿入するための信号を出力し（Ｓ９）、平行平板駆動機構１３０により平行平板１０９が光路上へ挿入される（Ｓ１０）。これにより、表示パネル１０３を透過した光束は、平行平板１０９を透過し、投写レンズ１０９に入射する。このとき、平行平板１０９により光束が屈折し、投写レンズ１０９を介してスクリーン１０１に写し出される電子画像の投写像のフォーカスがずれる。そのため、白色の電子画像の投写像がぼやけて表示パネル１０３のブラックマトリックスにより生じる黒色の線がスクリーン１０１に写し出されにくくなる。これにより、この投写表示装置１００では、従来よりも面光源の色彩の均一化を図ることができ、医師の的確な診断が黒色の線により妨げられない。
以上に述べたように、この投写表示装置１００では、レントゲンフィルム用の面光源として使用する場合に、平行平板１０９を光路上に挿入することで、電子画像の投写像のフォーカスをずらし、従来よりも面光源の色彩の均一を図ることができる。
【００２０】
また、このように平行平板１０９を光路上に挿脱可能にすることで、電子画像のフォーカスをずらすために、各レンズの位置を変化させる必要がない。これにより、この投写表示装置１００では、簡素な構造でフォーカスをずらしたり、フォーカスを合わせたりすることができる。
さらに、フィルム保持機構１０７により、面光源として使用する場合とディスプレイとして使用する場合とを自動的に切り替えを行うことができる。そのため、切り替え作業が不要となり、切り替えの労力を軽減することができる。
なお、本実施形態に係る投写表示装置１００はリア型プロジェクタであるが、フロント型プロジェクタであってもよい。この場合、スクリーン１０１としては反射型スクリーンが採用され、レントゲンフィルム１０８の配置がスクリーン１０１の投写レンズ１０２側（図１の右側）となる。電子画像のディスプレイとして使用する場合は、レントゲン画像がスクリーン１０１上に表示され、レントゲンフィルム１０８の面光源として使用する場合は、スクリーン１０１で反射された光束がレントゲンフィルムを透過する。その透過する光束を観察することで、医師はレントゲンフィルムの読影をすることができる。この場合も、リア型プロジェクタのときと同様の作用効果を得ることができる。
【００２１】
（３）変形例
前述の第１実施形態では、表示パネル１０３が透過型液晶パネルであるが、反射型液晶パネルであってもよい。図３を用いて、本発明の第１実施形態の変形例について説明する。図３に、本発明の第１実施形態の変形例に係る投写表示装置２００の全体構成図を示す。
図３に示すように、この投写表示装置２００は、主に、ランプ２０５と、照明光学系２０４と、表示パネル２０３と、投写レンズ２０２と、スクリーン２０１と、平行平板２０９と、制御装置２１０と、フィルム保持機構２０７とを備えている。表示パネル２０３は反射型液晶パネルである。照明光学系２０４は、ランプ２０５から出射された光束を集光し表示パネル２０３へ出射するとともに、表示パネル２０３で反射した光束が投写レンズ２０２へ透過する構成となっており、照明光学系２０４は表示パネル２０３と投写レンズ２０２との間の光路上に配置されている。
【００２２】
平行平板２０９は、表示パネル２０３および投写レンズ２０２の間の光路上に挿脱可能に配置されており、前述の実施形態と同様に平行平板駆動機構２３０により駆動される。図３から明らかなように、表示パネル２０３で反射した光束が照明光学系２０４を介して平行平板２０９に入射する。
この場合も、前述の実施形態と同様に、平行平板２０９によりフォーカスをずらすことができ、従来よりも面光源の色彩の均一化を図ることができる。
＜２＞その他の実施形態
前述の実施形態は本発明の趣旨を逸脱しない範囲で様々な変更が可能である。
（１）
前述の実施形態は、投写表示装置の光学系の全体構成を限定するものではない。例えば、前述の実施形態では表示パネルおよび投写レンズの間の光路上に平行平板が配置されているが、これに限定されない。平行平板などの光透過性部材はランプおよび照明光学系の間、照明光学系および表示パネルの間、そして投写レンズおよびスクリーンの間、のいずれに配置されていてもよい。なお、電子画像は投写レンズにより拡大投写されるため、投写レンズおよびスクリーンの間に平行平板を配置すると、平行平板を大きくする必要がある。したがって、平行平板は投写レンズの入射側までの光路上に配置されていることが望ましい。
【００２３】
（２）
前述の実施形態に示す動作フロー図は一例であり、投写表示装置の動作フローはこれに限定されない。
【産業上の利用可能性】
【００２４】
本発明に係る投写表示装置は、表示パネルに特定の階調のみを表示する電子画像を表示する場合に光路上に光透過性部材が挿入されるため、均一な面光源を得ることができ、医療用ディスプレイ、特にレントゲン画像およびレントゲンフィルムの両方を表示観察できる装置として有用である。
【図面の簡単な説明】
【００２５】
【図１】本発明の第１実施形態に係る投写表示装置１００の全体構成図
【図２】投写表示装置１００の動作フロー図
【図３】本発明の第１実施形態の変形例としての投写表示装置２００の全体構成図
【符号の説明】
【００２６】
１００、２００  投写表示装置
１０１、２０１  スクリーン
１０２、２０２  投写レンズ
１０３、２０３  表示パネル
１０４、２０４  照明光学系
１０５、２０５  ランプ（光源）
１０７、２０７  フィルム保持機構
１０７ａ  クリップ（フィルム保持具）
１０７ｂ  フィルムセンサ
１０８、２０８  レントゲンフィルム
１０９、２０９  平行平板（光透過性部材）
１１０、２１０  制御装置
１１１  ランプ駆動部（光源駆動部）
１１３  表示パネル駆動部
１１４  駆動制御部
１１９  平行平板駆動部（光透過性部材駆動部）
１３０  平行平板駆動機構（光透過性部材駆動部）
【図１】
2009042624.tif 000003
【図２】
2009042624.tif 000004
【図３】
2009042624.tif 000005